(57)【要約】【課題】框部の上面が外縁方向に向かって低くなった浴槽を用いた場合であっても、壁パネルとの間で框部の上面に湯や水が溜まらず、勿論、オーバーフロー水や、浴槽洗浄時の洗い水が浴槽パンに流れ込むことのない浴室ユニットを提供することを目的としている。【解決手段】浴槽が浴槽パンに受けられた状態で設置され、浴槽を囲む浴室の壁パネルと浴槽の框部との目地部に目地材が介装されている浴室ユニットにおいて、浴槽の框部と浴室壁面を構成する壁パネルとの目地部の一部に、目地材非介装部が設けられていて、目地材非介装部の下方に、目地材非介装部の壁パネルと浴槽の框部と隙間を介して浴槽パン側に流れ込む湯や水を受ける水受けを有し、この水受けが、受けられた湯や水を浴槽パン以外の排水経路に排水する排水配管に接続されていることを特徴としている。【選択図】      図１
2005348953.tif 000002
【特許請求の範囲】
【請求項１】
浴槽が浴槽パンに受けられた状態で設置され、浴槽を囲む浴室の壁パネルと浴槽の框部
との目地部に目地材が介装されている浴室ユニットにおいて、
浴槽の框部と浴室壁面を構成する壁パネルとの目地部の一部に、目地材非介装部が設けら
れていて、目地材非介装部の下方に、目地材非介装部の壁パネルと浴槽の框部と隙間を介
して浴槽パン側に流れ込む湯や水を受ける水受けを有し、この水受けが、受けられた湯や
水を浴槽パン以外の排水経路に排水する排水配管に接続されていることを特徴とする浴室
ユニット。
【請求項２】
目地材非介装部の上方を覆い、浴槽側の面に湯や水の目地材非介装部への排水用開口を
有する着脱自在なキャップを備えている請求項１に記載の浴室ユニット。
【請求項３】
キャップが、排水用開口入口に固形汚物の目地材非介装部への流入を防止する汚物トラ
ップを備えている請求項２に記載の浴室ユニット。
【請求項４】
目地材非介装部が壁パネルのコーナー部に設けられている請求項１〜請求項３のいずれ
かに記載の浴室ユニット。
【発明の詳細な説明】
【技術分野】
【０００１】
本発明は、浴室ユニットに関する。
【背景技術】
【０００２】
浴室ユニットにおいては、浴槽の下方を浴槽パンで受け、万一浴槽からの漏れが発生し
た場合でも、浴槽パンで漏れた湯や水を浴槽パンの底に設けられた排水口から排水経路に
排水することによって、建物の床下等に漏れでないようにしている。
また、浴槽パンは、上部が浴槽で覆われているため、一旦浴槽パン内部に湯や水が入る
となかなか乾燥せず、湯や水に混ざった垢や髪の毛などの有機物が浴槽パン内で腐敗する
恐れがある。
【０００３】
そこで、通常は、浴槽パン内に湯や水ができるだけ入らないように、浴槽を囲む浴室の
壁パネルと浴槽の框部との目地部に湿式あるいは乾式の目地材が介装され、目地部から浴
槽パン側へ浴槽のオーバーフロー水や、浴槽洗浄時の洗い水等が入り込まないようにされ
ている（たとえば、特許文献１参照）。
【０００４】
【特許文献１】特開２００３−１９００３６号公報
【発明の開示】
【発明が解決しようとする課題】
【０００５】
ところで、近年、意匠性を高めるために、框部の上面が、外縁方向に向かって階段状あ
るいはなだらかに低くなった浴槽が開発されている。
【０００６】
しかし、上記のような框部の上面が外縁方向に向かって低くなった浴槽の場合、上記の
ように壁パネルと浴槽の框部との目地部に目地材を介装してあると、浴槽の壁側に流れた
オーバーフロー水や、浴槽洗浄時の洗い水は、壁パネルとの間で框部の上面の低くなった
部分に溜まってしまい、そのまま放っておくと腐敗したりする恐れがある。
したがって、浴室を清掃するたびに、上記のように溜まった水を拭き取らなければなら
ず、非常に面倒である。
【０００７】
本発明は、上記事情に鑑みて、框部の上面が外縁方向に向かって低くなった浴槽を用い
た場合であっても、壁パネルとの間で框部の上面に湯や水が溜まらず、勿論、オーバーフ
ロー水や、浴槽洗浄時の洗い水が浴槽パンに流れ込むことのない浴室ユニットを提供する
ことを目的としている。
【課題を解決するための手段】
【０００８】
上記目的を達成するために、本発明の請求項１に記載の浴室ユニット（以下、「請求項
１の浴室ユニット」と記す）は、浴槽が浴槽パンに受けられた状態で設置され、浴槽を囲
む浴室の壁パネルと浴槽の框部との目地部に目地材が介装されている浴室ユニットにおい
て、浴槽の框部と浴室壁面を構成する壁パネルとの目地部の一部に、目地材非介装部が設
けられていて、目地材非介装部の下方に、目地材非介装部の壁パネルと浴槽の框部と隙間
を介して浴槽パン側に流れ込む湯や水を受ける水受けを有し、この水受けが、受けられた
湯や水を浴槽パン以外の排水経路に排水する排水配管に接続されていることを特徴として
いる。
【０００９】
本発明の請求項２に記載の浴室ユニット（以下、「請求項２の浴室ユニット」と記す）
は、請求項１の浴室ユニットにおいて、目地材非介装部の上方を覆い、浴槽側の面に湯や
水の目地材非介装部への排水用開口を有する着脱自在なキャップを備えていることを特徴
としている。
【００１０】
本発明の請求項３に記載の浴室ユニット（以下、「請求項３の浴室ユニット」と記す）
は、請求項２の浴室ユニットにおいて、キャップが、排水用開口入口に固形汚物の目地材
非介装部への流入を防止する汚物トラップを備えていることを特徴としている。
【００１１】
本発明の請求項４に記載の浴室ユニット（以下、「請求項４の浴室ユニット」と記す）
は、請求項１〜請求項３のいずれかの浴室ユニットにおいて、目地材非介装部が壁パネル
のコーナー部に設けられていることを特徴としている。
【発明の効果】
【００１２】
本発明の請求項１の浴室ユニットは、以上のように、浴槽の框部と浴室壁面を構成する
壁パネルとの目地部の一部に、目地材非介装部が設けられていて、目地材非介装部の下方
に、目地材非介装部の壁パネルと浴槽の框部と隙間を介して浴槽パン側に流れ込む湯や水
を受ける水受けを有し、この水受けが、受けられた湯や水を浴槽パン以外の排水経路に排
水する排水配管に接続されているので、框部の上面が外縁方向に向かって低くなった浴槽
を用いた場合であっても、壁パネル側へ流れたオーバーフロー水や、浴槽洗浄時の洗い水
は、平目地材介装部を介して水受けに流れ込み、浴槽パンに受けられることなく、水受け
から排水配管を介して排水経路に流される。したがって、框部の上面に湯や水が溜まらず
、清掃も容易である。勿論、浴槽パンに流れ込むことのないので、浴槽パンの汚染もない
。
【００１３】
本発明の請求項２の浴室ユニットは、以上のように、目地材非介装部の上方を覆い、浴
槽側の面に湯や水の目地材非介装部への排水用開口を有する着脱自在なキャップを備えて
いるので、キャップをしておけば、目地材非介装部が入浴者にみえず、見栄えがよい。し
かも、キャップを取り除けば、目地材非介装部を容易に清掃でき、目地材非介装部および
水受け内を常に清浄な状態に保つことができる。
【００１４】
本発明の請求項３の浴室ユニットは、キャップが、排水用開口入口に固形汚物の目地材
非介装部への流入を防止する汚物トラップを備えているので、オーバーフロー水や浴槽洗
浄時の洗い水に混入した、髪の毛やゴミ等の固形汚物が汚物トラップに目地材非介装部お
よび水受けに入り込むのを防止できる。したがって、水受けおよび排水配管に固形汚物が
付着し、虫などが発生するといった不具合を防止できる。
【００１５】
本発明の請求項４の浴室ユニットは、目地材非介装部が壁パネルのコーナー部に設けら
れているので、コーナー部を挟む２つの壁パネル側に溜まろうとするオーバーフロー水や
浴槽洗浄時の洗い水を一つの目地材非介装部を設けるだけで排水することができる。した
がって、水受けや排水配管等の部材を少なくすることができ、施工性がよく、コストダウ
ンも図れる。
【発明を実施するための最良の形態】
【００１６】
以下に、本発明を、その実施の形態をあらわす図面を参照しつつ詳しく説明する。
図１〜図９は、本発明にかかる浴室ユニットの１つの実施の形態をあらわしている。
【００１７】
図１および図２に示すように、この浴室ユニットＡは、洗い場パン１と、浴槽パン２と
、浴槽３と、壁パネル４とを備えている。
洗い場パン１は、図１に示すように、従来の浴室ユニットと同様に、排水口１１の下方
に排水トラップ１２を備え、図２および図３に示すように、浴槽側の立ち上がり壁１３の
上端から浴槽パン２側へ張り出す受け部１４に浴槽パン２の係止部２１をシール材Ｐを介
在させた状態で係止させ、上方からビス１５をねじ込むことによって浴槽パン２と一体化
されている。
【００１８】
浴槽パン２は、浴槽３を下方から受けるとともに、排水トラップ１２に接続された排水
管２２への排水口２３をその底に備えている。
浴槽３は、図１に示すように、浴槽本体３１と框部３２とを備えている。框部３２は、
その上面の外縁部３２ａが、内縁部３２ｂ（浴槽本体３１側）よりも階段状に一段低くな
っている。また、浴槽本体３１内に溜められた湯や水は、図示していないが、その底に設
けられた排水口から排水管および浴槽パン２の排水口１１を介して浴槽パン２の排水管２
２内に臨み、直接排水管２２を介して排水トラップ１２側へ流れるようになっている。
【００１９】
図４に示すように、浴槽３と、壁パネル４との間の目地部Ｓには、壁パネル４のコーナ
ー部の目地材非介装部Ｓ１を除いて、ポリプロピレン等の合成樹脂で形成された乾式の目
地材５が介装されている。すなわち、目地材非介装部Ｓ１以外の目地部Ｓからオーバーフ
ロー水や浴槽洗浄時の洗い水が浴槽パン２側に入り込まないようになっている。
【００２０】
目地材非介装部Ｓ１を下方から臨む位置には、図５に示すように、水受け６が設けられ
ている。
すなわち、水受け６は、図４〜図７に示すように、壁パネル４のコーナー部に沿う直交
する２つの側壁６１ａ，６１ａを有する周壁６１を備えた平面視五角形をした上部開口の
容器形状をしていて、その底６２の中央部に排水孔６２ａが穿設されている。
【００２１】
周壁６１の直交する２辺の側壁６１ａ，６１ａは、それぞれその端部に上方に突出する
突部６１ｂを備えている。
突部６１ｂは、直角コーナー側の壁面がテーパ面となって、その上端に向かって先細り
形状となっている。
【００２２】
また、水受け６は、止水材６２を壁パネル４との間に介在させた状態でビス６３を介し
て壁パネル４の壁面に固定され、排水配管７の一端がその底から延出するノズル６４に接
続されている。
【００２３】
すなわち、排水配管７は、水受け６の排水孔６２ａに連通するノズル６４に一端が接続
され、浴槽本体３１と壁パネル４との隙間を通り、他端が図２、図３および図７に示すよ
うに、浴槽パン２の洗い場パン１側の係止部２１に受けられ、排水配管７を介して流下し
た排水がエプロン８の下端の隙間を通って、洗い場パン１に流れ込むようになっている。
排水配管７の排水勾配は、特に限定されないが、内部に汚水を残さないようにするため
、４００／１０００程度にすることが好ましい。
【００２４】
目地材非介装部Ｓ１の上部には、図４、図５、および図８に示すように、キャップ（「
浴槽目地コーナーピース」とも言う）９が装着されている。
キャップ９は、着脱自在になっていて、図８及び図９に示すように、キャップ本体９１
と、脚部９２と、２つの位置決め部９３と、汚物トラップとしての３本のピン９４とを備
えている。
【００２５】
キャップ本体９１は、装着状態でその側面がコーナー部を形成する壁パネル４に略密着
するとともに、脚部９２を介して、框部３２の外縁部３２ａの上面に略３ｍｍ前後の隙間
を形成した状態に受けられて、目地材非介装部Ｓ１を全面的に上方から覆うようになって
いる。
脚部９２は、キャップ本体９１から下方に延出していて、浴槽３側に排水用開口９５を
備えている。
【００２６】
位置決め部９３は、それぞれ、板状の介装部９３ａと、框部３２の端縁部のアール形状
に沿うアーチ状のリブ９３ｂとを備えている。２つの位置決め部９３の介装部９３ａは、
直交して配置されている。
そして、２つの位置決め部９３は、キャップ９の装着状態でそれぞれ目地材非介装部Ｓ
１に入り込むとともに、リブ９３ｂが框部の端縁部に受けられてキャップ本体９１が位置
決めするようになっている。
【００２７】
ピン９４は、キャップ本体９１の裏面から延出し、キャップ９の装着状態で框部３２の
上面に下端が受けられるようになっていて、２ｍｍ程度の円柱状をしている。
また、３本のピン９４の間隔および脚部９２のピン９４の間隔が、略１．３ｍｍ程度の
間隔で排水用開口９５を仕切るように設けられている。
【００２８】
この浴室ユニットＡは、以上のようになっており、壁パネル４側へ流れ出たオアバーフ
ロー水や浴槽洗浄時の洗浄水は、キャップ９の排水用開口９５から目地部Ｓの目地材非介
装部Ｓ１を介して水受け６に受けられる。そして、水受け６に受けられた水は、排水配管
７を介してエプロン８の下端の隙間をとおり、洗い場パン１内に流れ込み、洗い場パン１
側の排水ともに排水トラップ１２を介して下水配管へと流れる。
また、オーバーフロー水や浴槽洗浄時の洗浄水中に混ざった髪の毛やごみなどは、ピン
９４に引っ掛かり、目地材非介装部Ｓ１側へ流れ込まない。
【００２９】
本発明にかかる浴室ユニットは、上記の実施の形態に限定されない。たとえば、上記の
実施の形態では、水受けに流れ込んだ水が排水管を介して洗い場パンに流れ込み、洗い場
パンの排水口から排水されるようになっているが、直接排水トラップに流し込むような構
造としても構わない。
【００３０】
上記の実施の形態では、壁パネルと浴槽との目地部に乾式の目地材を介装させるように
しているが、パテ等の湿式目地材を充填するようにしても構わない。
上記の実施の形態では、汚物トラップとして３本のピンが設けられていたが、キャップ
の排水用開口に着脱自在な網を汚物トラップとして設けるようにしても構わない。
【図面の簡単な説明】
【００３１】
【図１】本発明にかかる浴室ユニットの１つの実施の形態をあらわす浴槽部分の平面図である。
【図２】図１のＸ−Ｘ線断面図である。
【図３】図２のＹ部拡大図である。
【図４】図１のＺ−Ｚ線断面図である。
【図５】図１のＳ部拡大図である。
【図６】図１の浴室ユニットの水受けの取り付け構造を説明する斜視図である。
【図７】図１の浴室ユニットの水受けおよび排水配管の取り付け状態をあらわす斜視図である。
【図８】キャップの装着状態を上からみた斜視図である。
【図９】キャップの断面をあらわし、同図（ａ）は図８のＶ−Ｖ線断面図、同図（ｂ）は図８のＷ−Ｗ線断面図である。
【符号の説明】
【００３２】
Ａ  浴室ユニット
Ｓ  目地部
Ｓ１  目地材非介装部
２  浴槽パン
３  浴槽
３２  框部
４  壁パネル
５  目地材
６  水受け
７  排水配管
９  キャップ
９４  ピン（汚物トラップ）
９５  排水用開口
【図１】
2005348953.tif 000003
【図２】
2005348953.tif 000004
【図３】
2005348953.tif 000005
【図４】
2005348953.tif 000006
【図５】
2005348953.tif 000007
【図６】
2005348953.tif 000008
【図７】
2005348953.tif 000009
【図８】
2005348953.tif 000010
【図９】
2005348953.tif 000011